(57)【要約】【課題】  マクロ撮影モードとクイック撮影モードとを併せ持つデジタルカメラにあって、クイック撮影モードの動作に生じる矛盾を防止する。【解決手段】  デジタルカメラの背面に設けられたマクロ設定ボタンを押圧して、デジタルカメラをマクロ撮影モードに設定する際、デジタルカメラのＣＰＵは、クイック撮影モードが設定されているか否かの判定を行う。クイック撮影モードが既に設定されていると判定したＣＰＵは、マクロ撮影モードの設定を行わないようにする。このように、一方の撮影モードが設定されているときには、他方を設定しないようにし、各撮影モードが同時に設定されることを防止することで、クイック撮影モードの動作に生じる矛盾を防ぐ。【選択図】        図５
2007036395.tif 000002
【特許請求の範囲】
【請求項１】
撮像レンズを透過した被写体像を撮像して前記被写体像に応じた画像データを出力する撮像素子と、前記撮像レンズに含まれるフォーカスレンズを光軸方向に移動させるレンズ移動手段と、前記画像データから高周波成分を抽出することにより、前記画像データが表す画像のコントラストの高低を示すフォーカス評価値を算出する評価値算出手段と、前記フォーカスレンズの移動に応じた所定のサーチ範囲の前記フォーカス評価値を基に、コントラスト方式のオートフォーカスを行う合焦制御手段とを備えたデジタルカメラにおいて、
接写撮影を可能にするマクロ撮影モードと、通常の撮影モードよりも前記オートフォーカスに掛かる時間を短縮したクイック撮影モードとを含む複数の撮影モードの設定／解除を行う撮影モード設定手段と、
前記マクロ撮影モードと前記クイック撮影モードとが同時に設定されることを防止する撮影モード制御手段とを設けたことを特徴とするデジタルカメラ。
【請求項２】
前記撮影モード制御手段は、前記マクロ撮影モードと前記クイック撮影モードとのいずれか一方が設定されているときには、他方を設定しないようにすることを特徴とする請求項１記載のデジタルカメラ。
【請求項３】
前記撮影モード制御手段は、前記マクロ撮影モードと前記クイック撮影モードとのいずれか一方が設定されているときに、前記撮影モード設定手段を介して他方の設定が指示されると、設定されている一方の前記撮影モードを解除して指示された他方の前記撮影モードを設定することを特徴とする請求項１記載のデジタルカメラ。
【請求項４】
半押しと全押しとからなる２段式のレリーズボタンを有し、
前記合焦制御手段は、前記レリーズボタンが前記半押し操作されたことに応じて、前記オートフォーカスを行うことを特徴とする請求項１から３のいずれか１項に記載のデジタルカメラ。
【請求項５】
前記クイック撮影モードは、通常の撮影モードよりも至近側の前記サーチ範囲を縮小することによって、前記オートフォーカスに掛かる時間を短縮することを特徴とする請求項１から４のいずれか１項に記載のデジタルカメラ。
【請求項６】
撮像レンズを透過した被写体像を撮像して前記被写体像に応じた画像データを出力する撮像素子と、前記撮像レンズに含まれるフォーカスレンズを光軸方向に移動させるレンズ移動手段と、前記画像データから高周波成分を抽出することにより、前記画像データが表す画像のコントラストの高低を示すフォーカス評価値を算出する評価値算出手段と、前記フォーカスレンズの移動に応じた所定のサーチ範囲の前記フォーカス評価値を基に、コントラスト方式のオートフォーカスを行う合焦制御手段とを備えるとともに、接写撮影を可能にするマクロ撮影モードと、通常の撮影モードよりも前記オートフォーカスに掛かる時間を短縮したクイック撮影モードとを含む複数の撮影モードを有するデジタルカメラの撮影モード設定方法において、
前記マクロ撮影モードと前記クイック撮影モードとが同時に設定されることを防止することを特徴とする撮影モード設定方法。
【請求項７】
前記マクロ撮影モードと前記クイック撮影モードとのいずれか一方が設定されているときには、他方を設定しないようにすることを特徴とする請求項６記載の撮影モード設定方法。
【請求項８】
前記マクロ撮影モードと前記クイック撮影モードとのいずれか一方が設定されているときに他方の設定が指示されると、設定されている一方の前記撮影モードを解除して指示された他方の前記撮影モードを設定することを特徴とする請求項６記載の撮影モード設定方法。
【発明の詳細な説明】
【技術分野】
【０００１】
本発明は、マクロ撮影モードとクイック撮影モードとを含む複数の撮影モードを有し、撮影シーンに合わせてこれらの撮影モードを設定／解除するとともに、コントラスト方式のオートフォーカスを行って被写体像を撮像するデジタルカメラと、その撮影モード設定方法に関する。
【背景技術】
【０００２】
ＣＣＤなどの固体撮像素子で撮像した被写体像をデジタルの画像データに変換し、内蔵メモリやメモリカードなどの記憶媒体に記憶するデジタルカメラが普及している。近年のデジタルカメラのほとんどは、画像データから画像のコントラストを表すフォーカス評価値を算出してフォーカスレンズの自動焦点調整を行う、いわゆるコントラスト方式のオートフォーカス機能を備えており、自動的にピントを合わせるようにしている（特許文献１参照）。
【０００３】
コントラスト方式のオートフォーカスでは、所定のサーチ範囲内でフォーカスレンズを移動させながら、複数点のフォーカス評価値を算出し、フォーカス評価値の最も高い位置にフォーカスレンズを移動させることによって、ピントが合わせられる。この方式のオートフォーカスでは、ピントを合わせるまでに１秒程度の時間を要するため、瞬間的に撮影を行った際に、いわゆるピンボケの状態で撮影されてしまうことがあった。
【０００４】
この問題に対処するため、通常の撮影モードよりもオートフォーカスに掛かる時間を短縮し、例えば、運動会などのように一瞬のシャッターチャンスを逃したくないシーンで使用することを想定したクイック撮影モードを搭載するデジタルカメラもある。クイック撮影モードでは、被写体が、例えば、３ｍ〜３０ｍ付近にいることがほとんどであると仮定し、至近側のサーチ範囲を縮小することによって、オートフォーカスに掛かる時間の短縮を実現している。
【特許文献１】特開２００２−３３３５６９号公報
【発明の開示】
【発明が解決しようとする課題】
【０００５】
ところで、デジタルカメラの中には、数ｃｍ程度まで被写体に接近する、いわゆる接写撮影を行うためのマクロ撮影モードを搭載したものがある。このマクロ撮影モードでは、数ｃｍ〜数十ｃｍの範囲内に被写体がいるものと仮定し、この範囲内でオートフォーカスのサーチを行えばよい。
【０００６】
しかしながら、マクロ撮影モードと、前述のクイック撮影モードとを併せ持つデジタルカメラにおいて、両者が同時に設定されてしまうと、クイック撮影モードの設定によって至近側のサーチ範囲を縮小するにも関わらず、マクロ撮影モードの設定によって至近側をサーチするようになってしまう。このように、オートフォーカスのサーチ範囲に矛盾が生じてしまい、クイック撮影モードを設定したにも関わらず、オートフォーカスに掛かる時間が長くなってしまうという問題があった。
【０００７】
本発明は、上記課題を鑑みてなされたものであり、マクロ撮影モードとクイック撮影モードとを併せ持つデジタルカメラにあって、クイック撮影モードの動作に生じる矛盾を防止することを目的とする。
【課題を解決するための手段】
【０００８】
上記課題を達成するため、本発明のデジタルカメラは、撮像レンズを透過した被写体像を撮像して前記被写体像に応じた画像データを出力する撮像素子と、前記撮像レンズに含まれるフォーカスレンズを光軸方向に移動させるレンズ移動手段と、前記画像データから高周波成分を抽出することにより、前記画像データが表す画像のコントラストの高低を示すフォーカス評価値を算出する評価値算出手段と、前記フォーカスレンズの移動に応じた所定のサーチ範囲の前記フォーカス評価値を基に、コントラスト方式のオートフォーカスを行う合焦制御手段と、接写撮影を可能にするマクロ撮影モードと、通常の撮影モードよりも前記オートフォーカスに掛かる時間を短縮したクイック撮影モードとを含む複数の撮影モードの設定／解除を行う撮影モード設定手段と、前記マクロ撮影モードと前記クイック撮影モードとが同時に設定されることを防止する撮影モード制御手段とを備えたことを特徴とする。
【０００９】
なお、前記撮影モード制御手段は、前記マクロ撮影モードと前記クイック撮影モードとのいずれか一方が設定されているときには、他方を設定しないようにすることが好ましい。
【００１０】
また、前記撮影モード制御手段は、前記マクロ撮影モードと前記クイック撮影モードとのいずれか一方が設定されているときに、前記撮影モード設定手段を介して他方の設定が指示されると、設定されている一方の前記撮影モードを解除して指示された他方の前記撮影モードを設定する構成としてもよい。
【００１１】
また、半押しと全押しとからなる２段式のレリーズボタンを設け、前記合焦制御手段は、前記レリーズボタンが前記半押し操作されたことに応じて、前記オートフォーカスを行うことが好ましい。
【００１２】
さらに、前記クイック撮影モードは、通常の撮影モードよりも至近側の前記サーチ範囲を縮小することによって、前記オートフォーカスに掛かる時間を短縮することが好ましい。
【００１３】
なお、本発明の撮影モード設定方法は、撮像レンズを透過した被写体像を撮像して前記被写体像に応じた画像データを出力する撮像素子と、前記撮像レンズに含まれるフォーカスレンズを光軸方向に移動させるレンズ移動手段と、前記画像データから高周波成分を抽出することにより、前記画像データが表す画像のコントラストの高低を示すフォーカス評価値を算出する評価値算出手段と、前記フォーカスレンズの移動に応じた所定のサーチ範囲の前記フォーカス評価値を基に、コントラスト方式のオートフォーカスを行う合焦制御手段とを備えるとともに、接写撮影を可能にするマクロ撮影モードと、通常の撮影モードよりも前記オートフォーカスに掛かる時間を短縮したクイック撮影モードとを含む複数の撮影モードを有するデジタルカメラにおいて、前記マクロ撮影モードと前記クイック撮影モードとが同時に設定されることを防止することを特徴とする。
【００１４】
この際、前記マクロ撮影モードと前記クイック撮影モードとのいずれか一方が設定されているときには、他方を設定しないようにすることが好ましい。
【００１５】
また、前記マクロ撮影モードと前記クイック撮影モードとのいずれか一方が設定されているときに他方の設定が指示されると、設定されている一方の前記撮影モードを解除して指示された他方の前記撮影モードを設定するものでもよい。
【発明の効果】
【００１６】
本発明によれば、マクロ撮影モードとクイック撮影モードとが同時に設定されることを防止するようにしたので、これらの撮影モードを併せ持つデジタルカメラにあっても、クイック撮影モードの動作に矛盾が生じることはない。
【発明を実施するための最良の形態】
【００１７】
図１、及び図２に、デジタルカメラ２の外観を示す。図１の斜視図に示すように、デジタルカメラ２の前面には、撮像レンズ１０を保持するレンズ鏡胴１１が設けられている。デジタルカメラ２の上面には、レリーズボタン１２、電源スイッチ１３、及びモードダイヤル１４が設けられている。また、側面には、メモリカード５２（図３参照）を着脱自在に装填するメモリカードスロット（図示は省略）が設けられており、このメモリカードスロットを蓋１５が覆っている。
【００１８】
電源スイッチ１３は、周知のように、デジタルカメラ２の電源をＯＮ／ＯＦＦする際に用いられる。また、デジタルカメラ２では、静止画撮影を行う静止画撮影モード、動画撮影を行う動画撮影モード、撮影した画像をＬＣＤ２２に表示する再生モード、及び各種設定を行う設定モードが選択可能になっている。これらのモードの切り替えは、モードダイヤル１４を回動操作することで行われる。なお、動画撮影モードでは、動画の撮影とともに、図示を省略したマイクロホンを介して周囲の音声が収録される。
【００１９】
レリーズボタン１２は、２段階押しのスイッチになっている。ＬＣＤ２２による被写体のフレーミングの後に、レリーズボタン１２を軽く押圧（半押し）すると、自動露出調整（ＡＥ）、自動焦点調整（ＡＦ）などの各種撮影準備処理が施される。この状態でレリーズボタン１２をもう一度強く押圧（全押し）すると、撮影準備処理が施された１画面分の撮像信号が画像データに変換される。変換された画像データは、例えば、種々の画像処理や圧縮処理などが加えられた後、メモリカード５２に記憶される。
【００２０】
図２は、デジタルカメラ２を背面から見た平面図である。デジタルカメラ２の背面には、電子ビューファインダを構成するファインダ接眼窓２１、液晶表示器（ＬＣＤ）２２、及び操作部２３が設けられている。ＬＣＤ２２は、例えば、撮影した画像やいわゆるスルー画像、及び各種のメニュー画面などを表示する。操作部２３は、撮像レンズ１０のズームレンズ３０（図３参照）をワイド側、テレ側に変倍するズーム操作ボタン２４や、ＬＣＤ２２にメニュー画面を表示させる際や、選択内容を決定する際などに操作されるメニューボタン２５、及びメニュー画面内のカーソルを移動させる十字キー２６などから構成される。
【００２１】
ここで、デジタルカメラ２は、通常の撮影モードの他に、数ｃｍ程度まで被写体に接近する、いわゆる接写撮影を可能にするマクロ撮影モードと、レリーズボタン１２の半押し時に行われる撮影準備処理に掛かる時間を短縮したクイック撮影モードとを有している。このクイック撮影モードでは、撮影準備処理の時間を短縮することによって、撮影者が意図的に半押しすることなく、一気に全押ししても撮影準備処理が完了するようにしている。これにより、一瞬のシャッターチャンスを逃さずにピントの合った撮影を行うことができるようになる。
【００２２】
操作部２３には、上記の他に、マクロ撮影モードの設定／解除を行うためのマクロ設定ボタン２７と、クイック撮影モードの設定／解除を行うためのクイック設定ボタン２８とが設けられている。各撮影モードは、これらの各設定ボタン２７、２８を一度押圧することによって設定され、再び押圧することによって解除される。すなわち、マクロ設定ボタン２７とクイック設定ボタン２８とによって、請求項記載の撮影モード設定手段が構成される。なお、例えば、ＬＣＤ２２にアイコンを表示したり、専用のランプを点灯させることによって、各撮影モードが設定されていることをユーザに報知するようにしてもよい。
【００２３】
図３は、デジタルカメラ２の内部構成を概略的に示すブロック図である。撮像レンズ１０は、光軸Ｌに沿って配列されたズームレンズ３０、絞り３１、及びフォーカスレンズ３２によって構成されている。ズームレンズ３０には、レンズモータ３３が接続されている。レンズモータ３３は、ズーム操作ボタン２４の操作に連動して、ズームレンズ３０を広角側、もしくは望遠側に移動させる。絞り３１には、アイリスモータ３４が接続されている。アイリスモータ３４は、レリーズボタン１２の半押しにともなう撮影準備処理の際に、絞り３１の開口面積を変化させてズームレンズ３０から入射する光の量を調節する。また、フォーカスレンズ３２には、レンズモータ（レンズ移動手段）３５が接続されている。レンズモータ３５は、ズームレンズの変倍やレリーズボタン１２の半押しにともなって、フォーカスレンズ３２を至近側、もしくは無限遠側に移動させる。
【００２４】
各モータ３３、３４、３５は、モータドライバ３６に接続されている。モータドライバ３６は、デジタルカメラ２を統括的に制御するＣＰＵ３７に接続されており、このＣＰＵ３７からの制御信号に基づいて各モータ３３、３４、３５に駆動パルスを送信する。各モータ３３、３４、３５は、この駆動パルスに応じて回転軸を回転駆動する。なお、各モータ３３、３４、３５としては、例えば、ステッピングモータが用いられる。
【００２５】
撮像レンズ１０の背後には、撮像レンズ１０を透過した被写体像を撮像するＣＣＤ（撮像素子）３８が配置されている。ＣＣＤ３８には、ＣＰＵ３７によって制御されるタイミングジェネレータ（ＴＧ）３９が接続され、このＴＧ３９から入力されるタイミング信号（クロックパルス）により、電子シャッタのシャッタ速度が決定される。
【００２６】
ＣＣＤ３８から出力された撮像信号は、相関二重サンプリング回路（ＣＤＳ）４０に入力され、ＣＣＤ３８の各セルの蓄積電荷量に正確に対応したＲ、Ｇ、Ｂの画像データとして出力される。ＣＤＳ４０から出力された画像データは、増幅器（ＡＭＰ）４１で増幅され、Ａ／Ｄ変換器（Ａ／Ｄ）４２でデジタルの画像データに変換される。
【００２７】
画像入力コントローラ４３は、バス４４を介してＣＰＵ３７に接続され、ＣＰＵ３７の制御命令に応じて、ＣＣＤ３８、ＣＤＳ４０、ＡＭＰ４１、及びＡ／Ｄ４２の各部を制御する。Ａ／Ｄ４２から出力された画像データは、ＳＤＲＡＭ４５に一時的に記録される。
【００２８】
画像信号処理回路４６は、ＳＤＲＡＭ４５から画像データを読み出して、階調変換、ホワイトバランス補正、γ補正処理などの各種画像処理を施し、この画像データを再度ＳＤＲＡＭ４５に記録する。ＹＣ変換処理回路４７は、画像信号処理回路４６で各種処理を施された画像データをＳＤＲＡＭ４５から読み出し、輝度信号Ｙと色差信号Ｃｒ、Ｃｂとに変換する。
【００２９】
ＶＲＡＭ４８は、ＬＣＤ２２にスルー画像を出力するためのメモリであり、画像信号処理回路４６、ＹＣ変換処理回路４７を経た画像データが格納される。このＶＲＡＭ４８には、画像データの書き込みと読み出しとを並行して行えるように、２フレーム分のメモリが確保されている。ＶＲＡＭ４８に格納された画像データは、ＬＣＤドライバ４９でアナログのコンポジット信号に変換され、ＬＣＤ２２にスルー画像として表示される。
【００３０】
圧縮伸長処理回路５０は、ＹＣ変換処理回路４７でＹＣ変換された画像データを、例えば、ＴＩＦＦやＪＰＥＧなどといった所定の圧縮形式で圧縮する。圧縮された画像データは、メディアコントローラ５１を経由してメモリカード５２に記憶される。
【００３１】
ＣＰＵ３７には、レリーズボタン１２、操作部２３の他に、ＥＥＰＲＯＭ５３が接続されている。ＥＥＰＲＯＭ５３には、各種制御用のプログラムや設定情報などが記録されている。ＣＰＵ３７は、これらの情報をＥＥＰＲＯＭ５３から作業用メモリであるＳＤＲＡＭ４５に読み出して、各種処理を実行する。
【００３２】
また、ＳＤＲＡＭ４５には、各撮影モードが設定されているか否かを記憶するためのマクロ用フラグ４５ａと、クイック用フラグ４５ｂとが設けられている。ＣＰＵ３７は、各設定ボタン２７、２８が押圧されて、各撮影モードを設定する際に、対応する各フラグ４５ａ、４５ｂを立てて、その撮影モードが設定状態にあることをＳＤＲＡＭ４５に記憶させるとともに、各設定ボタン２７、２８が再び押圧されて、設定した各撮影モードを解除する際に、対応する各フラグ４５ａ、４５ｂを下ろす。なお、各フラグ４５ａ、４５ｂの上げ下げは、もちろん上記と反対に、各撮影モードを設定する際に下げるものでもよい。
【００３３】
さらに、バス４４には、露出量、すなわち電子シャッタのシャッタ速度と絞り３１の絞り値とが撮影に適切か否かを検出するとともに、ホワイトバランスが撮影に適切か否かを検出するＡＥ／ＡＷＢ検出回路５４と、撮像レンズ１０の焦点調整が撮影に適切か否かを検出するＡＦ検出回路（評価値算出手段）５５とが接続されている。
【００３４】
ＡＥ／ＡＷＢ検出回路５４は、ＹＣ変換処理回路４７でＹＣ変換された画像データの輝度信号Ｙと色差信号Ｃｒ、Ｃｂとの積算値を基に、露出量、及びホワイトバランスの適否を検出し、この検出結果をＣＰＵ３７に送信する。ＣＰＵ３７は、ＡＥ／ＡＷＢ検出回路５４から送信された検出結果に基づいて、絞り３１、及びＣＣＤ３６などの動作を制御する。
【００３５】
ＡＦ検出回路５５は、いわゆるコントラスト方式のＡＦ制御を行うためのものであり、Ａ／Ｄ４２でデジタル化された画像データから画像のコントラストを表すフォーカス評価値を算出して、この算出結果をＣＰＵ３７に送信する。フォーカス評価値は、画像の特定のエリア、例えば、撮影画角の中央部分の画像データに対して、ハイパスフィルタなどで輪郭抽出処理を施し、これにより抽出した輪郭信号、及び中央部分の画像データの輝度値を積算することで得られる。なお、フォーカス評価値は、大きい程その部分の高周波成分が多く、その部分が合焦状態にあることを表す。
【００３６】
ＣＰＵ３７は、レリーズボタン１２の半押しにともなう撮影準備処理の際、図４に示すように、レンズモータ３５を駆動して、フォーカスレンズ３２を至近から無限遠、もしくは無限遠から至近に向けて所定量ｄずつ移動（サーチ）させながら、各ポイントにおけるフォーカス評価値（図中、黒丸で示す）を、ＡＦ検出回路５５に算出させる。そして、フォーカス評価値が最大となるポイントを合焦位置として決定し、そのポイントにフォーカスレンズ３２を移動させる。すなわち、ＣＰＵ３７が請求項記載の合焦制御手段に相当するものである。
【００３７】
また、図４に示すように、ＡＦのサーチ範囲は、通常撮影モードで６０ｃｍ〜無限遠、クイック撮影モードで１ｍ〜無限遠、マクロ撮影モードで６ｃｍ〜８０ｃｍというように、各撮影モードで異なる。これから分かるように、クイック撮影モードのサーチ範囲は、通常撮影モードのサーチ範囲よりも短い。つまり、クイック撮影モードは、被写体が、例えば、３ｍ〜３０ｍ付近にいることがほとんどであると仮定し、通常撮影モードよりも至近側のサーチ範囲を縮小することによって、ＡＦに掛かる時間を短縮したものである。なお、これらのサーチ範囲は、あくまでも一例であり、上記に限ったものではない。また、撮像レンズ１０に光学プラスチックレンズを用いると、温度によってレンズの曲率が変化し、焦点距離が変わってしまうことが知られている。このため、各サーチ範囲の至近と無限遠との両端に、レンズの温度特性を見越した、いわゆるオーバーサーチ領域を設けるようにしてもよい。
【００３８】
次に、図５、及び図６に示すフローチャートを参照しながら、上記構成によるデジタルカメラ２の作用について説明する。デジタルカメラ２をマクロ撮影モードに設定する際には、デジタルカメラ２の背面に設けられたマクロ設定ボタン２７を押圧する。マクロ設定ボタン２７の押圧を検知したＣＰＵ３７は、ＳＤＲＡＭ４５にアクセスしてクイック用フラグ４５ｂを確認し、クイック撮影モードが設定されているか否かを判定する。
【００３９】
クイック用フラグ４５ｂが下りていて、クイック撮影モードが設定されていないと判定したＣＰＵ３７は、デジタルカメラ２をマクロ撮影モードに設定するとともに、ＳＤＲＡＭ４５にアクセスしてマクロ用フラグ４５ａを立て、マクロ撮影モードが設定された状態にあることをＳＤＲＡＭ４５に記憶させる。反対に、クイック用フラグ４５ｂが立っていて、クイック撮影モードが既に設定されていると判定したＣＰＵ３７は、マクロ撮影モードを設定しないようにする。
【００４０】
一方、デジタルカメラ２をクイック撮影モードに設定する際には、デジタルカメラ２の背面に設けられたクイック設定ボタン２８を押圧する。クイック設定ボタン２８の押圧を検知したＣＰＵ３７は、ＳＤＲＡＭ４５にアクセスしてマクロ用フラグ４５ａを確認し、マクロ撮影モードが設定されているか否かを判定する。
【００４１】
マクロ用フラグ４５ａが下りていて、マクロ撮影モードが設定されていないと判定したＣＰＵ３７は、デジタルカメラ２をクイック撮影モードに設定するとともに、ＳＤＲＡＭ４５にアクセスしてクイック用フラグ４５ｂを立て、クイック撮影モードが設定された状態にあることをＳＤＲＡＭ４５に記憶させる。反対に、マクロ用フラグ４５ａが立っていて、マクロ撮影モードが既に設定されていると判定したＣＰＵ３７は、クイック撮影モードを設定しないようにする。すなわち、ＣＰＵ３７とＳＤＲＡＭ４５とによって請求項記載の撮影モード制御手段が構成される。
【００４２】
図４に示すように、マクロ撮影モードとクイック撮影モードとでは、ＡＦのサーチ範囲が大きく異なる。このため、これらの撮影モードが同時に設定されてしまうと、通常撮影モードよりもサーチ範囲が広くなってしまい、クイック撮影モードを設定したにも関わらずＡＦに掛かる時間が長くなるという矛盾が生じてしまう。これに対し、本例では、各フラグ４５ａ、４５ｂの状態を確認して、一方の撮影モードが設定されているときには、他方を設定しないようにし、マクロ撮影モードとクイック撮影モードとが同時に設定されることを防止するようにしたので、クイック撮影モードの動作に矛盾が生じることはない。
【００４３】
なお、上記実施形態では、撮影モード設定手段をマクロ設定ボタン２７とクイック設定ボタン２８とから構成し、これらの押圧操作に応じて各撮影モードの設定／解除を行うようにしているが、これに限ることなく、例えば、撮影モード設定手段をメニューボタン２５、及び十字キー２６などから構成し、メニューボタン２５を押圧操作することによってＬＣＤ２２に表示されるメニュー画面から、各撮影モードの設定／解除を行うようにしてもよい。
【００４４】
また、上記実施形態では、各撮影モードの一方が設定されているか否かを判定した後、ＣＰＵ３７の電気的な制御によって他方を設定しないようにしているが、これに限ることなく、例えば、一方の撮影モードが設定されているときには、他方の各設定ボタン２７、２８とＣＰＵ３７とを結ぶ電気配線を切断（再接続可能なように）したり、他方の各設定ボタン２７、２８を押圧操作できないように係止するなど、機械的な制御によって他方を設定できないようにしてもよい。
【００４５】
さらに、上記実施形態では、各撮影モードが設定されているか否かを、ＳＤＲＡＭ４５に設けられた各フラグ４５ａ、４５ｂの形態で記憶するようにしているが、これに限ることなく、他の形態でＳＤＲＡＭ４５に記憶させるようにしてもよい。また、記憶させる媒体もＳＤＲＡＭ４５に限ることなく、読み書きが可能な他のメモリに記憶させるようにしてもよい。
【００４６】
なお、上記実施形態では、一方の撮影モードが設定されているときには、他方を設定しないようにすることで、マクロ撮影モードとクイック撮影モードとが同時に設定されることを防止するようにしているが、これに限ることなく、例えば、図７、及び図８に示すフローチャートのように制御するものでもよい。以下、図７、及び図８に示すフローチャートの態様について説明する。なお、構成自体は上記実施形態と同様であるから、同符号を引用して詳細な説明は省略する。
【００４７】
デジタルカメラ２をマクロ撮影モードに設定する際には、デジタルカメラ２の背面に設けられたマクロ設定ボタン２７を押圧する。マクロ設定ボタン２７の押圧を検知したＣＰＵ３７は、ＳＤＲＡＭ４５にアクセスしてクイック用フラグ４５ｂを確認し、クイック撮影モードが設定されているか否かを判定する。
【００４８】
クイック用フラグ４５ｂが下りていて、クイック撮影モードが設定されていないと判定したＣＰＵ３７は、デジタルカメラ２をマクロ撮影モードに設定するとともに、ＳＤＲＡＭ４５にアクセスしてマクロ用フラグ４５ａを立て、マクロ撮影モードが設定された状態にあることをＳＤＲＡＭ４５に記憶させる。反対に、クイック用フラグ４５ｂが立っていて、クイック撮影モードが既に設定されていると判定したＣＰＵ３７は、クイック撮影モードの解除を行ってからマクロ撮影モードの設定を行う。
【００４９】
一方、デジタルカメラ２をクイック撮影モードに設定する際には、デジタルカメラ２の背面に設けられたクイック設定ボタン２８を押圧する。クイック設定ボタン２８の押圧を検知したＣＰＵ３７は、ＳＤＲＡＭ４５にアクセスしてマクロ用フラグ４５ａを確認し、マクロ撮影モードが設定されているか否かを判定する。
【００５０】
マクロ用フラグ４５ａが下りていて、マクロ撮影モードが設定されていないと判定したＣＰＵ３７は、デジタルカメラ２をクイック撮影モードに設定するとともに、ＳＤＲＡＭ４５にアクセスしてクイック用フラグ４５ｂを立て、クイック撮影モードが設定された状態にあることをＳＤＲＡＭ４５に記憶させる。反対に、マクロ用フラグ４５ａが立っていて、マクロ撮影モードが既に設定されていると判定したＣＰＵ３７は、マクロ撮影モードの解除を行ってからクイック撮影モードの設定を行う。
【００５１】
上記実施形態のように、一方の撮影モードが設定されているときには、他方を設定しないようにした場合、選択した撮影モードが設定されなかったことにユーザが気付かないと、撮影ミスを起こしてしまうことが懸念される。本例では、設定されている一方の撮影モードを解除してから指示された他方の撮影モードの設定を行うようにしたので、クイック撮影モードの動作に矛盾が生じることを防止することができるとともに、ユーザの操作を反映して撮影ミスの発生を抑えることもできる。
【図面の簡単な説明】
【００５２】
【図１】デジタルカメラの外観を示す前面方向の斜視図である。
【図２】デジタルカメラの外観を示す背面方向の平面図である。
【図３】デジタルカメラの内部構成を概略的に示すブロック図である。
【図４】フォーカス評価値と各撮影モードにおけるサーチ範囲との一例を示す説明図である。
【図５】マクロ撮影モードの設定動作を示すフローチャートである。
【図６】クイック撮影モードの設定動作を示すフローチャートである。
【図７】マクロ撮影モードの設定動作の他の例を示すフローチャートである。
【図８】クイック撮影モードの設定動作の他の例を示すフローチャートである。
【符号の説明】
【００５３】
２  デジタルカメラ
１０  撮像レンズ
１２  レリーズボタン
２７  マクロ設定ボタン（撮影モード設定手段）
２８  クイック設定ボタン（撮影モード設定手段）
３２  フォーカスレンズ
３５  レンズモータ（レンズ移動手段）
３７  ＣＰＵ（合焦制御手段、撮影モード制御手段）
３８  ＣＣＤ（撮像素子）
４５  ＳＤＲＡＭ（撮影モード制御手段）
５５  ＡＦ検出回路（評価値算出手段）
【図１】
2007036395.tif 000003
【図２】
2007036395.tif 000004
【図３】
2007036395.tif 000005
【図４】
2007036395.tif 000006
【図５】
2007036395.tif 000007
【図６】
2007036395.tif 000008
【図７】
2007036395.tif 000009
【図８】
2007036395.tif 000010